(57)【要約】【課題】  情報処理装置が持っている電源の効率とインターフェースを介して電力供給可能な装置の電源の効率を比較し、効率の良い電源を選択することでシステム全体の省電力化を達成する。【解決手段】  インターフェースポートから電力を得られる状態かどうかを判別する給電状態判別手段と、インターフェースポートから得た電力を本装置の動作電源として供給するか遮断するか切り替える電源切り替え手段と、インターフェースポートに接続された電力供給可能な装置の電源効率情報と本装置の電源効率情報を記憶する情報記憶手段と、本装置の消費電力情報を獲得する消費電力情報獲得手段と、インターフェースポートからの電源と本装置の電源の中から１つの電源を選択する電源選択手段と消費電力情報獲得手段によって獲得した本装置の消費電力情報と情報記憶部に記憶された効率情報に応じて電源切り替え手段を制御する電源制御手段等から構成される。【選択図】  図１
2007026083.tif 000002
【特許請求の範囲】
【請求項１】
インターフェースポートから電力を得ることが可能な情報処理装置において
インターフェースポートから電力を得られる状態かどうかを判別する給電状態判別手段と、
インターフェースポートから得た電力を本装置の動作電源として供給するか遮断するか切り替える電源切り替え手段と、
インターフェースポートに接続された電力供給可能な装置の電源効率情報と本装置の電源効率情報を記憶する情報記憶手段と、
本装置の消費電力情報を獲得する消費電力情報獲得手段と、
１つもしくは複数のインターフェースポートからの電源と本装置の電源の中から１つの電源を選択する電源選択手段と
前記消費電力情報獲得手段によって獲得した本装置の消費電力情報と前記情報記憶部に記憶された効率情報に応じて前記電源切り替え手段を制御する電源制御手段と
を有することを特徴とする情報処理装置。
【請求項２】
前記電源選択手段は、前記消費電力情報獲得手段によって獲得した本装置の消費電力情報と前記情報記憶部に記憶された効率情報に応じて電源を選択することを特徴とする請求項１記載の情報処理装置。
【請求項３】
前記電源選択手段は、本装置の消費電力を供給可能であるインターフェースの内、そのインターフェースに接続された装置の電源効率と本装置の電源効率を比較して良いものを選択することを特徴とする請求項１記載の情報処理装置。
【請求項４】
前記電源選択手段は、前記消費電力情報獲得手段からの消費電力情報を監視し、ダイナミックに選択を切り替えることを特徴とする請求項１記載の情報処理装置。
【請求項５】
前記消費電力情報獲得手段は、本装置の動作状況から算出することを特徴とする請求項１記載の情報処理装置。
【請求項６】
前記消費電力情報獲得手段は、本装置の電力を測定して得ることを特徴とする請求項１記載の情報処理装置。
【請求項７】
インターフェースポートから得た電力の電圧が、情報装置が動作する電圧でない場合に装置が動作する電圧に変換することを特徴とする請求項１記載の情報処理装置。
【請求項８】
前記インターフェースポートに接続された電力供給可能な装置の電源効率情報は、装置固有のＩＤに関連付けて格納し、再度接続されたときは自動的に読み込まれることを特徴とする請求項１記載の情報処理装置。
【発明の詳細な説明】
【技術分野】
【０００１】
本発明は、情報処理装置に関し、特に、本装置のインターフェースポートから電力を得られる場合に、システム全体の省電力化を実現することのできる情報処理装置に関するものである。
【背景技術】
【０００２】
近年、プリンタ等の情報処理装置においては、待機時に消費する電力を小さくした省電力機能を装備したものが増加している。特に、最近では、待機時に必要最小限の部位にのみ給電を行い、消費電力を最小に抑えた装置も増加している。
【０００３】
そして、情報処理装置がインターフェースポートから電力を得られる場合に、待機時には情報処理装置の電源を切断し、インターフェースポートからの電力を利用し、情報処理装置の消費電力を低下させるという提案がなされている。
【０００４】
また近年、インターフェースポートより電力供給が可能なインターフェースにパワーオーバーイーサネット（登録商標）（以下ＰｏＥと略す）が規格化され注目されている。
【０００５】
又、従来例としては、例えば特許文献１をあげることが出来る。
【特許文献１】特開２００３−２８０７７１号公報
【発明の開示】
【発明が解決しようとする課題】
【０００６】
しかしながら上記従来例では、情報処理装置にインターフェースを介して電力供給している装置までを含めたシステム全体の消費電力を考えると必ずしも省電力になっていないという課題が存在した。
【０００７】
本発明は、上記の課題を解決するためになされたもので、本発明の目的は、情報処理装置が持っている電源の効率とインターフェースを介して電力供給可能な装置の電源の効率を比較し、効率の良い電源を選択することでシステム全体の省電力化を可能とするものである。
【課題を解決するための手段】
【０００８】
上述した課題を解決するために、本発明は、インターフェースポートから電力を得られる状態かどうかを判別する給電状態判別手段と、インターフェースポートから得た電力を本装置の動作電源として供給するか遮断するか切り替える電源切り替え手段と、インターフェースポートに接続された電力供給可能な装置の電源効率情報と本装置の電源効率情報を記憶する情報記憶手段と、本装置の消費電力情報を獲得する消費電力情報獲得手段と、１つもしくは複数のインターフェースポートからの電源と本装置の電源の中から１つの電源を選択する電源選択手段と前記消費電力情報獲得手段によって獲得した本装置の消費電力情報と前記情報記憶部に記憶された効率情報に応じて前記電源切り替え手段を制御する電源制御手段等から構成されることを特徴とする。
【発明の効果】
【０００９】
本発明によって、情報処理装置が持っている電源の効率と給電可能な装置の電源の効率を比較し効率の良い電源を選択することが可能となり、情報処理装置のみならず、情報処理装置に接続された装置を含めシステム全体の省電力化を達成できるという効果が得られる。
【発明を実施するための最良の形態】
【００１０】
（実施例１）
以下添付図面を参照して、本発明に係る好適な実施例を例に詳細に説明する。
【００１１】
図１は本発明の特徴を最もよく表す図面であり、同図において、１０１はＵＳＢケーブルを接続するＵＳＢポート、１０２はネットワークケーブルを接続するネットワークポート、１０３は交流１００ｖを情報処理装置の動作電圧である直流３．３ｖに変換するＡＣ／ＤＣ変換部、１１４はＡＣ１００ｖを遮断できるリレー装置、１０４はＵＳＢの電源信号(Ｖｂｕｓ)の５ｖを情報処理装置の動作電圧である３．３ｖに変換するＤＣ／ＤＣコンバータ、１０５はパワーオーバーイーサネット（登録商標）(ＰｏＥ)から供給される４８ｖを同じく３．３ｖに変換するＤＣ／ＤＣコンバータ、１１１，１１２，１１３は各電源のＯＮ／ＯＦＦを行うＦＥＴスイッチ、１０８は前記ＦＥＴスイッチとリレー１１４を制御する電源制御部、１０７は各装置の電源効率情報を記憶する情報記憶部、１０９は情報処理装置の動作電源２０４を安定させるコンデンサである。
【００１２】
また、３００は電源プラグ、４００はパワーオーバーイーサネット（登録商標）に対応したネットワークハブ、５００はホストコンピュータである。
【００１３】
図２はＵＳＢ、ＰｏＥ各給電元装置と情報処理装置のＡＣ電源の消費電力と効率の一例を表したものであり、この効率にもとづいて説明していく。
【００１４】
次に上記図１における情報処理装置の動作について図３のフローチャートを用いて説明する。
【００１５】
電源投入時、電源制御部１０８はＡＣ電源を選択するようにリレー１１４とＦＥＴスイッチ１１３をＯＮしてＡＣ電源で起動する。[Ｓ３０１]
ユーザーは情報処理装置の操作部(図示せず)から各インターフェースポートに接続されているネットワークハブ４００とホストコンピュータ５００の図２の情報に従って電源効率を入力する。この情報は、情報記憶部１０７に格納される。なお情報処理装置の電源効率情報はあらかじめ情報記憶部１０７に格納されているものとする。[Ｓ３０２]
電源制御部１０８はＵＳＢ電源２０５をセンスしＵＳＢから給電されているかどうかを確認する。[Ｓ３０３]
ＵＳＢ給電が確認されたら、ＣＰＵ(図示せず)はＵＳＢ通信にてホストコンピュータ５００からサスペンド要求があるかどうかを確認する。もしサスペンド要求があった場合は消費電流を５００μＡまでしか使用できないので、実質電源として利用することはできない。[Ｓ３０４]
サスペンド要求がない場合は、装置の動作状況から消費電力を見積もり、それがＵＳＢの給電限界である２．５Ｗ未満かどうか判断する。[Ｓ３０５]
２．５Ｗ未満であった場合は、ＵＳＢとＰｏＥとＡＣの各効率情報を情報記憶部１０７から読み出して比較する。[Ｓ３０６]
２．５Ｗ未満の場合は図２よりＵＳＢの効率が一番良いのでＵＳＢ電源を選択するように電源制御部１０８はリレー１１４とＦＥＴスイッチ１１３，１１２をＯＦＦし、ＦＥＴスイッチ１１１をＯＮする。なお切り替え時、一瞬両者がＯＦＦとなり電源供給が出来なくなるので、その間はコンデンサ１０９に蓄電された電力を使用する。[Ｓ３０７]
前記Ｓ３０３でＵＳＢ給電なしの場合とＳ３０４でＵＳＢサスペンド要求があった場合は、電源制御部１０８はＰｏＥ電源２０６をセンスしＰｏＥから給電されているかどうかを確認する。[Ｓ３１１]
ＰｏＥ給電が確認された場合と、前記Ｓ３０５で消費電力が２．５Ｗ以上の場合は、装置の動作状況から消費電力を見積もり、それがＰｏＥの給電限界である１３Ｗ未満かどうか判断する。[Ｓ３１２]
１３Ｗ未満であった場合は、ＰｏＥとＡＣの各効率情報を情報記憶部１０７から読み出して比較する。[Ｓ３１３]
１３Ｗ未満の場合は図２よりＡＣよりＰｏＥの効率のほうが良いのでＰｏＥ電源を選択するように電源制御部１０８はリレー１１４とＦＥＴスイッチ１１３，１１１をＯＦＦし、ＦＥＴスイッチ１１２をＯＮする。[Ｓ３１４]
前記Ｓ３１１でＰｏＥ給電なしの場合とＳ３１２で消費電力が１３Ｗ以上あった場合は、ＡＣ電源を選択するように電源制御部１０８はＦＥＴスイッチ１１１，１１２をＯＦＦし、リレー１１４とＦＥＴスイッチ１１３をＯＮする。[Ｓ３２１]
以上説明したように、情報処理装置が持っている電源の効率と給電可能な装置の電源の効率を比較し効率の良い電源を選択することによってシステム全体の省電力化が達成できる。
【００１６】
（他の実施例）
上記第１の実施例では、給電可能なインターフェースとしてＵＳＢとＰｏＥを例に説明したが、給電可能なインターフェースであれば良く例えばＩＥＥＥ１３９４等でも良い。
【００１７】
また、消費電力は、装置の動作状況から見積もったが、電力計等で測定しても良い。
【図面の簡単な説明】
【００１８】
【図１】本発明の実施例を表わすブロック図
【図２】各装置の電源効率情報を表す図
【図３】本発明の実施例の動作を示すフローチャート
【符号の説明】
【００１９】
１０１  ＵＳＢポート
１０２  ネットワークポート
１０３  ＡＣ／ＤＣ変換部
１０４，１０５  ＤＣ／ＤＣコンバータ
１０７  情報記憶部
１０８  電源制御部
１０９  コンデンサ
１１１，１１２，１１３  ＦＥＴスイッチ
【図１】
2007026083.tif 000003
【図２】
2007026083.tif 000004
【図３】
2007026083.tif 000005